(57)【要約】【課題】ユーザの利便性を向上させる低周波治療器、治療システムを提供する。【解決手段】Ｓ１０２において、低周波治療器２００が位置する場所の気圧を取得する取得部３０２と、Ｓ１０４において、気圧が閾値よりも低いか否かを判断する判断部３０４と、低周波治療を行う治療部２７０とを備え、Ｓ１０８において、治療部は、気圧が閾値よりも低いと判断された場合に、低周波治療の強度を強める。【選択図】図８
2019041827.tif 000002
【特許請求の範囲】
【請求項１】
ユーザの体の痛みの増加の原因となるパラメータであって、気象に関する気象パラメータを取得する取得部と、
低周波治療を行う治療部と、
前記気象パラメータと、予め定められた閾値とに基づいて、前記低周波治療の強度を調整する調整部とを備える、低周波治療器。
【請求項２】
前記取得部は、前記低周波治療器の位置での前記気象パラメータとしての気圧または気温を取得し、
前記調整部は、前記取得部により取得された前記気温または前記気圧が第１閾値よりも低いと判断した場合に、前記低周波治療の強度を強めるように調整する、請求項１に記載の低周波治療器。
【請求項３】
前記調整部は、
治療用電流を生成する生成部を含み、
前記低周波治療の強度を強める処理として、前記治療用電流の波形の振幅を増加させる処理を実行する、請求項２に記載の低周波治療器。
【請求項４】
前記治療部は、温熱治療を行うことが可能であり、
前記調整部は、前記取得部により取得された前記気温または前記気圧が前記第１閾値よりも低いと判断した場合に、前記温熱治療の強度を強めるように調整する、請求項２または請求項３に記載の低周波治療器。
【請求項５】
前記取得部により取得された前記気温または前記気圧が前記第１閾値よりも低くなると判断された場合に、該気温または該気圧が前記第１閾値よりも低くなる時期に外出を控える旨を通知する第１通知部をさらに備える、請求項２〜請求項４いずれか１項に記載の低周波治療器。
【請求項６】
位置情報の入力を受付ける位置情報受付手段をさらに備え、
前記取得部は、前記位置情報受付手段が入力を受付けた前記位置情報が示す位置での前記気象パラメータとしての気圧または気温を取得し、
前記取得部により取得された前記気温または前記気圧が前記第１閾値よりも低いと判断された場合に、ユーザの身体の痛みが増加する可能性があることを通知する第２通知部をさらに備える、請求項２〜請求項５いずれか１項に記載の低周波治療器。
【請求項７】
前記取得部は、前記低周波治療器の位置での前記気象パラメータとしての気圧または気温を取得し、
第２閾値は、前記第１閾値よりも大きく、
前記調整部は、前記取得部により取得された前記気温または前記気圧が前記第２閾値よりも高いと判断した場合に、前記低周波治療の強度を弱めるように調整する、請求項１〜請求項６いずれか１項に記載の低周波治療器。
【請求項８】
前記治療部は、温熱治療を行うことが可能であり、
前記調整部は、前記取得部により取得された前記気温または前記気圧が前記第２閾値よりも高いと判断した場合に、前記温熱治療の強度を弱めるように調整する、請求項７に記載の低周波治療器。
【請求項９】
前記気象パラメータと、前記閾値とに基づいて、前記低周波治療の強度を調整する第１モードと、前記低周波治療の強度を調整しない第２モードとのうち、設定するモードをユーザから受付ける受付部をさらに備える、請求項１〜請求項８いずれか１項に記載の低周波治療器。
【請求項１０】
低周波治療を行う低周波治療器と、該低周波治療器と通信可能な通知装置とを含む治療システムであって、
前記低周波治療器の位置での気圧または気温を取得する取得部を備え、
前記通知装置は、前記取得部により取得された前記気温または前記気圧が閾値よりも低くなると判断された場合に、該気温または該気圧が前記閾値よりも低くなる時期に外出を控える旨を通知する、治療システム。
【発明の詳細な説明】
【技術分野】
【０００１】
本開示は、低周波治療器、治療システムに関する。
【背景技術】
【０００２】
低周波治療器として、電極パッドを通してユーザの身体部位に対して低周波パルスを出力することで電気刺激を当該部位に与えるように構成された低周波治療器が知られている。例えば、特許文献１では、ユーザが出力強度を設定できる低周波治療器が開示されている。
【先行技術文献】
【特許文献】
【０００３】
【特許文献１】特開２００５−１５２４１２号公報
【発明の概要】
【発明が解決しようとする課題】
【０００４】
特許文献１の低周波治療器では、気象の変化により、ユーザの体の痛みが強まったとしても、ユーザ自身で出力強度を調整する必要があることから、ユーザの利便性が欠落しているものであった。
【０００５】
本開示は、上記のような実情に鑑みてなされたものであって、ある局面における目的は、ユーザの利便性を向上させる低周波治療器、治療システムを提供することである。
【課題を解決するための手段】
【０００６】
この開示にかかる低周波治療器は、ユーザの体の痛みの増加の原因となるパラメータであって、気象に関する気象パラメータを取得する取得部と、低周波治療を行う治療部と、気象パラメータと、予め定められた閾値とに基づいて、低周波治療の強度を調整する調整部とを備える。
【０００７】
好ましくは、取得部は、低周波治療器の位置での気象パラメータとしての気圧または気温を取得し、調整部は、取得部により取得された気温または気圧が第１閾値よりも低いと判断した場合に、低周波治療の強度を強めるように調整する。
【０００８】
好ましくは、調整部は、治療用電流を生成する生成部を含み、低周波治療の強度を強める処理として、治療用電流の波形の振幅を増加させる処理を実行する。
【０００９】
好ましくは、治療部は、温熱治療を行うことが可能であり、調整部は、取得部により取得された気温または気圧が第１閾値よりも低いと判断した場合に、温熱治療の強度を強めるように調整する。
【００１０】
好ましくは、取得部により取得された気温または気圧が第１閾値よりも低くなると判断された場合に、該気温または該気圧が第１閾値よりも低くなる時期に外出を控える旨を通知する第１通知部をさらに備える。
【００１１】
好ましくは、位置情報の入力を受付ける位置情報受付手段をさらに備え、取得部は、位置情報受付手段が入力を受付けた位置情報が示す位置での気象パラメータとしての気圧または気温を取得し、取得部により取得された気温または気圧が第１閾値よりも低いと判断された場合に、ユーザの身体の痛みが増加する可能性があることを通知する第２通知部をさらに備える。
【００１２】
好ましくは、取得部は、低周波治療器の位置での気象パラメータとしての気圧または気温を取得し、第２閾値は、第１閾値よりも大きく、調整部は、取得部により取得された気温または気圧が第２閾値よりも高いと判断した場合に、低周波治療の強度を弱めるように調整する。
【００１３】
好ましくは、治療部は、温熱治療を行うことが可能であり、調整部は、取得部により取得された気温または気圧が第２閾値よりも高いと判断した場合に、温熱治療の強度を弱めるように調整する。
【００１４】
好ましくは、気象パラメータと、閾値とに基づいて、低周波治療の強度を調整する第１モードと、低周波治療の強度を調整しない第２モードとのうち、設定するモードをユーザから受付ける受付部をさらに備える。
【００１５】
この開示にかかる治療システムは、低周波治療を行う低周波治療器と、該低周波治療器と通信可能な通知装置とを含む治療システムであって、低周波治療器の位置での気圧または気温を取得する取得部を備え、通知装置は、取得部により取得された気温または気圧が閾値よりも低くなると判断された場合に、該気温または該気圧が閾値よりも低くなる時期に外出を控える旨を通知する。
【発明の効果】
【００１６】
この開示によれば、ユーザの利便性を向上させる低周波治療器、治療システムを提供することができる。
【図面の簡単な説明】
【００１７】
【図１】治療システム１の概略的な構成を示す図である。
【図２】テーブルの一例を示す図である。
【図３】低周波治療器２００の外観を示す図である。
【図４】低周波治療器２００の内部構成を概略的に示す図である。
【図５】治療波形のパラメータなどを示す図である。
【図６】プロセッサ２１０の機能構成例を示す図である。
【図７】第２通知部を示す図である。
【図８】低周波治療器のフローチャートを示す図である。
【図９】テーブルの一例を示す図である。
【図１０】低周波治療器のフローチャートを示す図である。
【図１１】テーブルの一例を示す図である。
【図１２】低周波治療器のフローチャートを示す図である。
【図１３】第１通知部を示す図である。
【図１４】治療システム２の概略的な構成を示す図である。
【図１５】テーブルの一例を示す図である。
【図１６】低周波治療器のフローチャートを示す図である。
【図１７】第３通知部を示す図である。
【図１８】低周波治療器のフローチャートを示す図である。
【図１９】治療システム３の概略的な構成を示す図である。
【図２０】低周波治療器２０の外観を示す図である。
【図２１】第１受付部を示す図である。
【図２２】第２受付部を示す図である。
【図２３】第３受付部を示す図である。
【図２４】第４通知部を示す図である。
【図２５】低周波治療器のフローチャートを示す図である。
【発明を実施するための形態】
【００１８】
実施形態について、以下、図面を参照しながら説明する。同一の部品および相当部品には同一の参照番号を付し、重複する説明は繰り返さない場合がある。
【００１９】
[実施形態１]
＜システム構成＞
図１は、実施形態１に従う治療システム１の概略的な構成を示す図である。図１を参照して、治療システム１は、低周波治療器２００、気象サーバ３０およびネットワーク４１を含む。ネットワーク４１は、低周波治療器２００と、気象サーバ３０とを互いに接続するために、インターネット、移動体端末通信網などの各種ネットワークを含む。
【００２０】
気象サーバ３０は、テーブル３２を備える。テーブル３２は、位置情報と、該位置情報から特定される位置の気圧を示す気圧情報とが対応付けられた情報が規定されている。図２は、該テーブル３２の一例を示したものである。図２の例での位置情報は、経度Ｘと緯度Ｙとを含み、気圧の単位を「ヘクトパスカル（ｈＰａ）」とする。図２の例では、経度Ｘ１、緯度Ｙ１となる位置情報には、気圧としてＺ１（ｈＰａ）が対応付けられている。これは、経度Ｘ１、緯度Ｙ１となる位置の気圧は、Ｚ１（ｈＰａ）であることを示している。気象サーバ３０は所定時間（たとえば、１時間）毎に、テーブル３２で規定されている各位置の気圧情報を最新の気圧情報に更新する。
【００２１】
＜低周波治療器２００の構成＞
図３は、実施形態１に従う低周波治療器２００の外観の一例を表す図である。図３を参照して、実施形態１に従う低周波治療器２００は、本体部２０５と、ユーザの治療部位に貼り付けるための一対のパッド２７０と、本体部２０５とパッド２７０とを電気的に接続するためのコード２８０とを含む。パッド２７０は、身体の部位に接触されるように構成される「治療部」の一実施例である。低周波治療器２００は、有線タイプであり、低周波パルス電流を供給することで、ユーザの肩凝りをほぐす等の治療を行う。例えば、低周波パルス電流の周波数は、１Ｈｚ〜１２００Ｈｚである。ただし、低周波治療器２００は、これ以外の周波数帯のパルス電流を用いる構成であってもよい。
【００２２】
パッド２７０は、シート状の形状を有し、ユーザの身体に取り付けられる。パッド２７０の一方の面（身体と接触しない面）には、他方の面（身体と接触する面）に形成されている電極（図示しない）に対応したプラグが設けられている。電極は、例えば、導電性のゲル状材料等により形成される。コード２８０のプラグ２８２とパッド２７０側のプラグとを接続し、コード２８０を本体部２０５のジャックに差し込むことにより、本体部２０５とパッド２７０とが接続される。なお、一方のパッド２７０に形成されている電極の極性がプラスの場合、他方のパッド２７０に形成されている電極の極性はマイナスとなる。
【００２３】
本体部２０５には、各種ボタンで構成される操作インターフェイス２３０と、ディスプレイ２６０とが設けられている。操作インターフェイス２３０は、電源のオン／オフを切り替えるための電源ボタン２３２と、治療モードの選択を行うためのモード選択ボタン２３４と、治療開始ボタン２３６と、電気刺激の強さ（以下、「電気刺激強度」とも称する。）の調整を行うための調整ボタン２３８とを含む。なお、操作インターフェイス２３０は、上記構成に限られず、ユーザによる各種操作を実現できる構成であればよい。操作インターフェイス２３０は、例えば、その他のボタン、ダイヤルやスイッチ等により構成されていてもよい。
【００２４】
ディスプレイ２６０には、電気刺激強度、治療の残り時間、治療モード、パッド２７０の装着状態等が表示されたり、各種メッセージが表示されたりする。
【００２５】
＜ハードウェア構成＞
図４は、実施形態１に従う低周波治療器２００のハードウェア構成の一例を表すブロック図である。図４を参照して、低周波治療器２００は、プロセッサ２１０と、メモリ２２０と、操作インターフェイス２３０と、電源部２４０と、通信インターフェイス２４５と、波形生成出力装置２５０と、ディスプレイ２６０とを含む。
【００２６】
プロセッサ２１０は、典型的には、ＣＰＵ（Central Processing Unit）やＭＰＵ（Multi Processing Unit）といった演算処理部である。プロセッサ２１０は、メモリ２２０に記憶されたプログラムを読み出して実行することで、低周波治療器２００の各部の動作を制御する制御部として機能する。プロセッサ２１０は、当該プログラムを実行することによって、後述する低周波治療器２００の処理（ステップ）の各々を実現する。
【００２７】
メモリ２２０は、ＲＡＭ（Random  Access  Memory）、ＲＯＭ（Read-Only  Memory）、フラッシュメモリなどによって実現される。メモリ２２０は、プロセッサ２１０によって実行されるプログラム、またはプロセッサ２１０によって用いられるデータなどを記憶する。
【００２８】
操作インターフェイス２３０は、低周波治療器２００に対する操作入力を受け付け、上述したような各種ボタンより構成される。ユーザによって、各種ボタンが操作されると、当該操作による信号がプロセッサ２１０に入力される。
【００２９】
電源部２４０は、低周波治療器２００の各構成要素に電力を供給する。電源としては、例えば、アルカリ乾電池が用いられ、電源部２４０は、電池電圧を安定化して各構成要素に供給する駆動電圧を生成する。
【００３０】
プロセッサ２１０は、通信インターフェイス２４５およびネットワーク４１を経由して、外部装置、たとえば、気象サーバ３０と種々の情報の送受信を実行する。波形生成出力装置２５０は、パッド２７０を介してユーザの身体の治療部位に流れる電流（以下、「治療電流」とも称する。）を出力する。波形生成出力装置２５０は、昇圧回路、電圧調整回路、出力回路、電流検出回路等を含む。
【００３１】
昇圧回路は、電源電圧を所定の電圧に昇圧する。電圧調整回路は、昇圧回路により昇圧された電圧を、ユーザにより設定された電気刺激強度に対応する電圧に調整する。具体的には、低周波治療器２００では、調整ボタン２３８により所定数の段階（例えば、１０段階）で、電気刺激の調整が設定可能である。プロセッサ２１０は、調整ボタン２３８を介して電気刺激強度の設定入力を受け付け、当該受け付けた電気刺激強度に対応する電圧に調整するように波形生成出力装置２５０（電圧調整回路）に指示する。
【００３２】
出力回路は、電圧調整回路により調整された電圧に基づいて、治療モードに応じた治療波形（パルス波形）を生成し、当該治療波形をコード２８０を介してパッド２７０（の電極）に出力する。具体的には、操作インターフェイス２３０を介して、ユーザにより、治療モードの切替、電気刺激強度の変更等の操作が行われると、その操作内容に応じた制御信号がプロセッサ２１０から出力回路に入力される。出力回路は、当該制御信号に従う治療波形を出力する。
【００３３】
低周波治療器２００には、複数の治療モードが予め用意されている。例えば、治療モードとしては、「もみ」、「たたき」、「押し」モード等が挙げられる。
【００３４】
出力回路は、パルスの波形（パルス幅、パルス間隔、出力極性を含む）等を変化させることにより、「もみ」、「たたき」、「押し」といった様々なモードに対応する電気刺激を生成できる。また、パルスの振幅を変化させることにより、電気刺激強度を調整することができる。具体的な治療波形については、公知の波形を利用することができる。なお、治療波形は、パルス波形ではなく交流波形であってもよい。
【００３５】
ディスプレイ２６０は、例えば、ＬＣＤ（liquid crystal display）で構成されており、プロセッサ２１０からの指示に従って各種情報を表示する。
【００３６】
＜治療用電流＞
図５は、低周波治療器２００が出力する治療用電流の一例を表す図である。図５を参照して、本実施形態の治療波形を説明する。図５に示すように、治療波形のパラメータは、振幅（電圧Ｖ）と、パルス幅ｔと、パルス周波数ｆとを含む。プロセッサ２１０は、これら３つのパラメータのうち少なくとも１つのパラメータを変更することにより、ユーザに対する治療を変更することができる（電気刺激強度を変更することができる）。
【００３７】
＜低周波治療器２００の処理＞
図６は、プロセッサ２１０の機能構成例を表す図である。図６を用いて、プロセッサ２１０の機能を説明する。取得部３０２は、低周波治療器２００が位置する場所の気象パラメータを取得する。気象パラメータは、ユーザの体の痛みの増加に起因する。一般的に、肩こりや関節の痛みなど（以下、「体の痛み」という。）を持つユーザにとって、該ユーザが存在する位置での気圧が下ると、該体の痛みが強くなる（増加する）傾向がある。この傾向を鑑みて、本実施形態では、気象パラメータを気圧とする。このように、本実施形態１では、取得部３０２は、気圧を取得する気圧取得部として機能する。本実施形態では、取得部３０２は、低周波治療器２００の位置を示す位置情報を取得する。該取得部３０２は、たとえば、ＧＰＳ機能（Global Positioning System）を用いて、該位置情報を取得する。取得部３０２は、該位置情報を通信インターフェイス２４５およびネットワーク４１を経由して、気象サーバ３０に対して送信する。気象サーバ３０は、該位置情報を受信すると、テーブル３２で規定されている位置情報であって、該受信した位置情報と最も近い位置情報に対応する気圧、または該受信した位置情報と同一の位置情報に対応する気圧を抽出する。気象サーバ３０は、該抽出した気圧を気圧情報として、低周波治療器２００に対して送信する。取得部３０２は、ネットワーク４１と通信インターフェイス２４５とを経由して、該送信された気圧情報を取得する。
【００３８】
取得部３０２は、気圧情報を判断部３０４に対して送信する。また、メモリ２２０には、気圧閾値が記憶されている。本実施形態では、該気圧閾値は、予め定められている。判断部３０４は、取得部３０２から送信された気圧情報が示す気圧が、メモリ２２０に記憶されている気圧閾値よりも低いか否かを判断する。このように、判断部３０４は、取得部３０２が取得した気圧の大小を判断することから、気圧判断部として機能する。
【００３９】
判断部３０４は、調整部３０６に対して、判断結果を出力する。調整部３０６は、該判断結果を解析して、取得部３０２が取得した気圧が、気圧閾値よりも低い旨の結果である場合には、調整部３０６は、低周波治療の強度を強めるように、該低周波治療の強度を調整する。本実施形態では、調整部３０６は、波形生成出力装置２５０に対して増大信号を出力する。該増大信号は、パッド２７０による低周波治療の強度（たとえば、電気刺激強度）を増大させるための信号である。増大信号を出力することにより、波形生成出力装置２５０は、パッド２７０による低周波治療の強度を増大させるような治療波形（以下、「増大治療波形」という。）に変更する。
【００４０】
また、波形生成出力装置２５０が増大治療波形に変更するときには、ディスプレイ２６０に、増大治療波形に変更する旨の情報を表示する。図７は、増大治療波形に変更する旨の情報の一例を示した図である。図７の例では、第２通知部として「増大治療波形に変更する旨の情報」として、「今から、強度を強めます」という文字を通知する。以下では、このような文字を表示する処理を「増大通知」ともいう。
【００４１】
図８は、低周波治療器２００のフローチャートを表す図である。図８を用いて、低周波治療器２００のフローチャートを説明する。図８のフローチャート、および後述するフローチャートは、低周波治療器２００の電源がＯＮされたときに開始される。
【００４２】
まず、Ｓ１０２において、取得部３０２は、低周波治療器２００が位置する場所、または該場所の近傍の気圧を、気象サーバ３０から取得する。
【００４３】
次に、Ｓ１０４において、判断部３０４は、取得部３０２が取得した気圧が、気圧閾値よりも低いか否かを判断する。取得部３０２が取得した気圧が、気圧閾値以上であると判断した場合には（Ｓ１０４でＮＯ）、処理を終了する。また、取得部３０２が取得した気圧が、気圧閾値より低いと判断した場合には（Ｓ１０４でＹＥＳ）、Ｓ１０６に進む。
【００４４】
Ｓ１０６において、調整部３０６は、ディスプレイ２６０に対して増大通知（図７参照）を実行させる。Ｓ１０６の処理が終了すると、Ｓ１０８に進む。
【００４５】
Ｓ１０８において、調整部３０６が増大治療波形に変更することにより、低周波治療の強度を強める。
【００４６】
また、２回目以降の図８の処理は、所定時間（たとえば、１分）ごとに実行される。また、Ｓ１０８の処理が１回でも実行された場合には、図８の処理は実行されなくなる。たとえば、Ｓ１０８の処理が実行された場合には、低周波治療の調整が実行されたこと示す調整済フラグが所定領域に格納される。所定領域とは、たとえば、メモリ２２０内のＲＡＭである。この調整済フラグが格納されている場合には、図８の処理は実行されない。この調整済フラグは、たとえば、低周波治療器２００の電源がオフされた場合に、消去される。
【００４７】
次に、本実施形態の低周波治療器２００が奏する効果について説明する。一般的に、体の痛みを持つユーザにとって、該ユーザが存在する位置での気圧が下ると、該体の痛みが強くなる傾向がある。この傾向を鑑みて、本実施形態の低周波治療器２００は、該低周波治療器２００が位置する場所の気圧が、気圧閾値よりも低くなったときに、低周波治療の強度を増大させることができる。これにより、低周波治療器２００による低周波治療を行っているユーザは、気圧が気圧閾値よりも低くなったとしても、ユーザが低周波治療の強度を強める必要がなく、低周波治療器２００が低周波治療の強度を強めることから、ユーザの利便性を高めることができる。
【００４８】
また、増大治療波形への変更については、図５で説明した３つのパラメータ（振幅、パルス幅、およびパルス周波数）のうち少なくとも１つを変更する。また、低周波治療器２００が、低周波治療の強度を強める処理として、治療用電流の波形の振幅を増加させる処理を実行することが好ましい。理由は、振幅とは別のパラメータを変更すると、ユーザに違和感を感じさせる場合があるからである。低周波治療器２００が、振幅の値を増加させることにより、ユーザに違和感を感じさせ難くしつつ、低周波治療の強度を強めることができる。
【００４９】
また、図８のＳ１０６で説明したように、低周波治療の強度を強める前に、増大通知が実行される。該増大通知により、低周波治療の強度が強まることをユーザに事前に認識させることができる。したがって、ユーザにとって不意に低周波治療の強度が強まってしまうことを防止できる。
【００５０】
［実施形態２］
ユーザによっては、痛みのある箇所に、低周波治療を施すよりも温熱治療を施した方が痛みが和らぐユーザがいる。そこで、実施形態２の低周波治療器２００は、低周波治療の他に温熱治療も実行可能であるとする。ユーザは、たとえば、操作インターフェイス２３０への操作により、低周波治療モードと温熱治療モードとのうちのいずれか一方のモードを選択できる。また、実施形態２のパッドの内部には、温熱部材が埋め込まれている。温熱部材とは、たとえば、熱を発するコイルである。
【００５１】
また、実施形態２では、ユーザの体の痛みの増加に起因する気象パラメータとして、温度を例示する。実施形態２では、気象サーバ３０は、位置情報と、該位置情報から特定される位置の気温情報とを対応付けられたテーブル３４（図１参照）を備える。図９は、該テーブル３４の一例を示したものである。図９の例では、経度Ｘ１、緯度Ｙ１となる位置情報には、気温としてＷ１度が対応付けられている。これは、経度Ｘ１、緯度Ｙ１となる位置の気温は、Ｗ１度であることを示している。気象サーバ３０は所定時間（たとえば、１時間）毎に、テーブル３４で規定されている気温情報を最新の気温情報に更新する。
【００５２】
図６を用いて、実施形態２の低周波治療器２００のプロセッサ２１０の機能構成例を説明する。取得部３０２は、低周波治療器２００が位置する場所の気温（温度）を取得する。このように、本実施形態２では、取得部３０２は、気温を取得する気温取得部として機能する。本実施形態では、取得部３０２は、低周波治療器２００の位置を示す位置情報を取得する。該取得部３０２は、たとえば、ＧＰＳ機能（Global Positioning System）を用いて、該位置情報を取得する。取得部３０２は、該位置情報を通信インターフェイス２４５およびネットワーク４１とを経由して、気象サーバ３０に対して送信する。気象サーバ３０は、該位置情報を受信すると、テーブル３４で規定されている位置情報であって、該受信した位置情報と最も近い位置情報に対応する気温、または該受信した位置情報と同一の位置情報に対応する気温を抽出する。気象サーバ３０は、該抽出した気温を気温情報として低周波治療器２００に対して送信する。取得部３０２は、ネットワーク４１と通信インターフェイス２４５とを経由して、該送信された気温情報を取得する。
【００５３】
取得部３０２は、気温情報を判断部３０４に対して送信する。また、メモリ２２０には、気温閾値が記憶されている。この気温閾値は予め定められている。判断部３０４は、取得部３０２から送信された気温情報が示す気温が、メモリ２２０に記憶されている気温閾値よりも低いか否かを判断する。このように、判断部３０４は、取得部３０２が取得した気温の大小を判断することから、気温判断部として機能する。
【００５４】
判断部３０４は、調整部３０６に対して、判断結果を出力する。調整部３０６は、該判断結果を解析して、取得部３０２が取得した気温が、気温閾値よりも低い旨の結果である場合には、波形生成出力装置２５０に対して増大信号を出力する。該増大信号は、パッド２７０による温熱治療の強度を増大させるための信号である。増大信号を出力することにより、温熱出力装置２５５は、パッド２７０内のコイルの温度を増加させることにより、パッド２７０の温度を高める。コイルの温度を増加させる手法として、たとえば、コイルに流す電流を増加させることにより、コイルの温度を高める手法を用いればよい。
【００５５】
また、温熱出力装置２５５がパッド２７０の温度を増加させるときには、ディスプレイ２６０に、パッド２７０の温度を増加させる旨の情報を表示する。特に図示しないが、パッド２７０の温度を増加させる旨の情報として、「今から、温度を高めます」という文字が表示される。
【００５６】
図１０は、低周波治療器２００のフローチャートを表す図である。図１０を用いて、低周波治療器２００のフローチャートを説明する。
【００５７】
まず、Ｓ２０２において、取得部３０２は、低周波治療器２００が位置する場所の気温を、気象サーバ３０から取得する。
【００５８】
次に、Ｓ２０４において、判断部３０４は、取得部３０２が取得した気温が、気温閾値よりも低いか否かを判断する。取得部３０２が取得した気温が、気温閾値以上であると判断した場合には（Ｓ２０４でＮＯ）、処理を終了する。また、取得部３０２が取得した気温が、気温閾値より低いと判断した場合には（Ｓ２０４でＹＥＳ）、Ｓ２０６に進む。
【００５９】
Ｓ２０６において、調整部３０６は、ディスプレイ２６０に増大通知（パッド２７０の温度を増加させる旨の情報の通知）を実行させる。Ｓ２０６の処理が終了すると、Ｓ２０８に進む。
【００６０】
Ｓ２０８において、調整部３０６は、温熱治療の強度を強める、つまり、パッド２７０の温度を高める。
【００６１】
また、２回目以降の図１０の処理は、所定時間（たとえば、１分）ごとに実行される。また、Ｓ２０８の処理が１回でも実行された場合には、図１０の処理は実行されなくなる。たとえば、Ｓ２０８の処理が実行された場合には、温熱治療の調整が実行されたこと示す調整済フラグが所定領域に格納される。所定領域とは、たとえば、メモリ２２０内のＲＡＭである。この調整済フラグが格納されている場合には、図１０の処理は実行されない。この調整済フラグは、たとえば、低周波治療器２００の電源がオフされた場合に、消去される。
【００６２】
次に、本実施形態２の低周波治療器２００が奏する効果について説明する。本実施形態２の低周波治療器２００は、該低周波治療器２００が位置する場所の気温が、気温閾値よりも低くなったときに、温熱治療の強度を増大させることができる。これにより、低周波治療器２００による温熱治療を行っているユーザは、気温が気温閾値よりも低くなったとしても、ユーザが温熱治療の強度を強める必要がなく、低周波治療器２００が温熱治療の強度を強めることから、ユーザの利便性を高めることができる。
【００６３】
また、図１０のＳ２０６で説明したように、温熱治療の強度を強める前に、増大通知が実行される。該増大通知により、温熱治療の強度が強まることをユーザに事前に認識させることができる。したがって、ユーザにとって不意に温熱治療の強度が強まってしまうことを防止できる。
【００６４】
［実施形態３］
次に、実施形態３について説明する。実施形態３では、低周波治療器２００が、気圧が気圧閾値よりも将来的に低くなると判断した場合に、気圧が気圧閾値よりも低くなる時期に外出を控える旨をディスプレイ２６０に通知させる。
【００６５】
また、本実施形態３では、気象サーバ３０は、位置情報と、該位置情報における複数の時間帯と、該時間帯での気圧とが対応付けられたテーブル３６を有する。図１１は、該テーブル３６の一例を示したものである。図２の例での位置情報は、経度Ｘと緯度Ｙとを含む。また、時間帯は、所定期間を所定時間（たとえば１時間）単位で分割したものである。所定期間とは、たとえば、如何なる期間であってもよいが、たとえば、ユーザが外出すると予測される期間とする。ユーザが外出すると予測される期間とは、たとえば、朝６時〜深夜１２時までの期間とする。
【００６６】
図１１の例では、経度Ｘ１、緯度Ｙ１となる位置情報において、Ｔ１時〜Ｔ２時までの時間帯（時間間隔は１時間）では、Ｚ１（ｈＰａ）が対応付けられており、Ｔ２時〜Ｔ３時（時間間隔は１時間）までの時間帯では、Ｚ１（ｈＰａ）が対応付けられている。同様に、経度Ｘ２、緯度Ｙ２となる位置情報において、Ｔ１時〜Ｔ２時までの時間帯（時間間隔は１時間）では、Ｚ３（ｈＰａ）が対応付けられており、Ｔ２時〜Ｔ３時（時間間隔は１時間）までの時間帯では、Ｚ４（ｈＰａ）が対応付けられている。また、各位置情報については、他の時間についても気圧が規定されている。また、他の位置情報についても時間帯、および気圧が規定されている。
【００６７】
図１１のテーブル３６は、１日の各時間帯での気圧を予測しているものである。気象サーバ３０は、１日のうちの所定時刻（たとえば、夜中１時）に、所定施設（たとえば、気象庁）から天気予測データを取得することにより、図１１のテーブル３６を構築する。
【００６８】
図１２は、本実施形態３の低周波治療器２００のフローチャートを表す図である。図１２を用いて、低周波治療器２００のフローチャートを説明する。
【００６９】
低周波治療器２００の電源がＯＮにされると、低周波治療器２００は、位置情報を送信する。気象サーバ３０は、該位置情報を受信すると、テーブル３６で規定されている位置情報であって、該受信した位置情報と最も近い位置情報（または該受信した位置情報と同一の位置情報）に対応する時間帯と、気圧とを抽出する。
【００７０】
気象サーバ３０は、該時間帯と、気圧とを低周波治療器２００に対して送信する。Ｓ３０２において、プロセッサ２１０は、該送信された時間帯と、気圧とを取得する。次に、プロセッサ２１０は、該取得した気圧に、気圧閾値以下となる気圧が存在するか否かを判断する。ここで、該取得した気圧に、気圧閾値以下となる気圧が存在すると判断されるということは、図１２の処理を実行した当日に、気圧閾値以下となる時間帯が存在するということである。
【００７１】
Ｓ３０４においてＹＥＳと判断された場合には、Ｓ３０６に進む。一方、Ｓ３０４において、ＮＯと判断された場合には処理を終了する。
【００７２】
Ｓ３０６においては、気圧閾値以下となる気圧に対応する時間帯の始まりの時刻を抽出し、現在の時刻から、該抽出した時刻（気圧が気圧閾値となる時刻）までの時間Ｘを算出する。プロセッサ２１０は、該時間Ｘを算出すると、「Ｘ時間後には外出を控える」旨の情報をディスプレイ２６０に通知させる。このように、ディスプレイ２６０は、第１通知部として、気圧が気圧閾値よりも（将来的に）低くなると判断された場合に、気圧が気圧閾値よりも低くなる時期に外出を控える旨を通知する。
【００７３】
該通知により、ユーザは、Ｘ時間後に気圧が気圧閾値に到達する旨、およびＸ時間後の外出を控えた方がよい旨を認識することができる。図１３は、算出された時間が「３時間」である場合における、ディスプレイ２６０での通知例を示したものである。ユーザは、３時間後に気圧が気圧閾値に到達する旨、および３時間後の外出を控えた方がよい旨を認識することができる。
【００７４】
このように、低周波治療器２００は、図１３のような通知することで、気圧が気圧閾値に到達することにより、ユーザの外出中に該ユーザの体の痛みが強まってしまうことを極力防止できる。また、該通知は、図１３に示すものに限られず、時間帯を含めた通知としてもよい。たとえば、「午後１時〜午後３時までは外出を控えてください」といった通知であってもよい。
【００７５】
次に、本実施形態３の変形例を説明する。図１２の説明では、低周波治療器２００は、Ｓ３０２において、気象サーバ３０から送信された時間帯と気圧を取得し、Ｓ３０４において取得した気圧に気圧閾値以下の気圧が存在するか否かを判断するとして説明した。しかしながら、気象サーバ３０が、Ｓ３０４の判断を実行するようにしてもよい。つまり、低周波治療器２００は、位置情報の他に、気圧閾値を気象サーバ３０に送信する。気象サーバ３０は、該位置情報と気圧閾値を受信すると、該位置情報に対応する気圧閾値が存在するか否かを判断する、つまり、気象サーバ３０がＳ３０４に対応する判断処理を実行する。気象サーバ３０が該位置情報に対応する気圧閾値が存在すると判断した場合には、該気圧閾値に対応する時間帯を送信する。その後、低周波治療器２００は、Ｓ３０６の処理を実行する。また、気象サーバ３０が該位置情報に対応する気圧閾値が存在しないと判断した場合には、気象サーバ３０は、該存在しない旨の情報を低周波治療器２００に対して送信する。低周波治療器２００は、該情報を受信した場合には、Ｓ３０６の処理を実行しない。このような変形例であっても、本実施形態３と同様の効果を奏する。
【００７６】
［実施形態４］
次に、実施形態４について説明する。実施形態４は、実施形態３で説明した思想を「気圧」から「気温」に代替させたものである。つまり、実施形態４では、低周波治療器２００が、気温が気温閾値よりも将来的に低くなると判断した場合に、気温が気温閾値よりも低くなる時期に外出を控える旨をディスプレイ２６０に通知させる。
【００７７】
つまり、この実施形態４では、たとえば、図１１のテーブル３６の「気圧」が「気温」に代替され、図１２の「気圧」が「気温」に代替される。また、「気圧閾値」が「気温閾値」に代替される。
【００７８】
この実施形態４では、ディスプレイ２６０は、第１通知部として、気温が気温閾値よりも（将来的に）低くなると判断された場合に、気温が気温閾値よりも低くなる時期に外出を控える旨を通知する。
【００７９】
該通知により、ユーザは、Ｘ時間後に気温が気温閾値に到達する旨、およびＸ時間後の外出を控えた方がよい旨を認識することができる。図１３は、算出された時間が「３時間」である場合における、ディスプレイ２６０での通知例を示したものである。ユーザは、３時間後に気温が気温閾値に到達する旨、および３時間後の外出を控えた方がよい旨を認識することができる。
【００８０】
このように、低周波治療器２００は、図１３のような通知することで、気温が気温閾値に到達することにより、ユーザの外出中に該ユーザの体の痛みが強まってしまうことを極力防止できる。
【００８１】
［実施形態５］
次に、実施形態５について説明する。実施形態５では、気圧が気圧閾値よりも低いと判断された場合に、低周波治療器２００が位置する場所の周辺の治療施設を通知するものである。治療施設とは、たとえば、ユーザの体の痛みを治療する施設である。
【００８２】
図１４は、実施形態５に従う治療システム２の概略的な構成を示す図である。図１４を図１と比較すると、図１４は、施設サーバ４０をさらに備える点で、図１とは異なる。施設サーバ４０は、テーブル４２を備える。テーブル４２は、位置情報と、該位置情報から特定される治療施設とが対応付けられた情報が規定されている。
【００８３】
図１５は、テーブル４２の一例を示したものである。図１５の例での位置情報は、経度と緯度とを含む。図１５の例では、該位置情報と、該位置情報が示す位置に存在する治療施設を示す治療情報と、該治療施設が実施可能な治療内容とが対応付けられている。たとえば、経度Ｘ１１および緯度Ｙ１１の位置には、ＡＡ県ＢＢ市の治療施設ＣＣ店が存在しており、該ＣＣ店は、治療内容として、低周波治療と温熱治療とが実施可能であることが示されている。
【００８４】
図１６は、実施形態５の低周波治療器２００のフローチャートを表す図である。図１６を用いて、低周波治療器２００のフローチャートを説明する。Ｓ４０２とＳ４０４とは、図８のＳ１０２とＳ１０４と同一である。Ｓ４０４でＹＥＳと判断されたとき、つまり、気圧が気圧閾値よりも低いと判断されたときには、Ｓ４０６に進む。
【００８５】
Ｓ４０６においては、プロセッサ２１０は、該プロセッサ２１０を備える低周波治療器２００の位置情報と、該低周波治療器２００が実行可能な処理内容を示す処理情報とを施設サーバ４０に対して送信する。施設サーバ４０は、該送信された位置情報から所定距離以内に治療施設であって、さらに、該低周波治療器２００が実行できない治療を治療可能な治療施設（以下、「通知対象治療施設」という。）が存在するか否かを判断する。ここで、所定距離とは、予め定めらせれた距離であり、好ましくは、たとえば、体の痛みを持ったユーザが体に負担をかけることなく移動できる距離であるとする。また、「該低周波治療器２００が実行できない治療を治療可能な治療施設」とは、たとえば、低周波治療器２００が温熱治療を実行できない場合には、「該低周波治療器２００が実行できない治療」とは、たとえば、「温熱治療」である。
【００８６】
施設サーバ４０は、通知対象治療施設が存在すると判断した場合には、通知対象治療施設の名称、場所などを示す施設情報を、低周波治療器２００に対して送信する。一方、施設サーバ４０は、通知対象治療施設が存在しないと判断した場合には、該通知対象治療施設が存在しない旨を示す情報を低周波治療器２００に対して送信する。
【００８７】
低周波治療器２００は、施設情報を受信することにより、Ｓ４０６ではＹＥＳと判断する。また、低周波治療器２００は、通知対象治療施設が存在しない旨を示す情報を受信することにより、Ｓ４０６ではＮＯと判断する。Ｓ４０６でＮＯと判断されることにより、図１６の処理を終了する。Ｓ４０６でＹＥＳと判断されることにより、Ｓ４０８に進む。
【００８８】
Ｓ４０８においては、プロセッサ２１０の制御のもと、ディスプレイ２６０は、第３通知部として、低周波治療器２００が位置する場所の周辺の治療施設を通知する。該通知は、低周波治療器２００が受信した施設情報に基づいて実行される。図１７は、該通知の一例を示したものである。図１７の例では、「ＡＡ県ＢＢ市ＣＣ治療店で温熱治療が可能です。ただいま３０％引き！」という文字がディスプレイ２６０に表示される。
【００８９】
また、２回目以降の図１６の処理は、所定時間（たとえば、１分）ごとに実行される。また、Ｓ４０８の処理が１回でも実行された場合には、図１６の処理は実行されなくなる。たとえば、Ｓ４０８の処理が実行された場合には、治療施設が通知されたことを示す通知済フラグが所定領域に格納される。所定領域とは、たとえば、メモリ２２０内のＲＡＭである。この通知済フラグが格納されている場合には、図１６の処理は実行されない。この通知済フラグは、たとえば、低周波治療器の電源がオフされた場合に、消去される。
【００９０】
このように、低周波治療器２００は、図１７のような通知を行うことにより、治療施設は、該治療施設での治療をユーザに促すことができる。また、ユーザは、該ユーザが保有している低周波治療器２００が位置する場所の周辺の治療施設を認識することができる。さらに、図１７の通知では、該ユーザが保有している低周波治療器２００が実行することができない治療を実行可能な治療施設を該ユーザは認識することができる。また、図１７に示すように、治療料金が割引されている情報が通知されている。したがって、ユーザは、該割引された治療料金で治療を受けることができる旨を認識することができる。
【００９１】
また、本実施形態５の変形例として、ディスプレイ２６０に通知対象治療施設を通知し、低周波治療器２００が実行できない治療内容、および治療料金を通知しないようにしてもよい。この場合には、たとえば、気圧が気圧閾値よりも低くなって、ユーザの体の痛みが強まるとされたときに、該ユーザ自身が保有する低周波治療器２００による低周波治療よりも治療施設で低周波治療を、該ユーザが望む場合がある。この場合には、ディスプレイ２６０に通知対象治療施設を通知し、低周波治療器２００が実行できない治療内容、および治療料金を通知しないようにしたとしても、通知対象治療施設をユーザに認識させることにより、該通知対象治療施設での治療を該ユーザに促進させることができる。これとともに、ユーザは、治療施設での低周波治療を受けることができることを認識できる。
【００９２】
また、本実施形態５の変形例として、図１６のＳ４０２およびＳ４０４では、気圧および気圧閾値を用いるとして説明したが、該Ｓ４０２およびＳ４０４では、気温および気温閾値を用いるようにしてもよい。つまり、Ｓ４０２およびＳ４０４が、図１０のＳ２０２およびＳ２０４に代替されるようにしてもよい。このような構成を採用している治療システムであっても、本実施形態５と同様の効果を奏する。
【００９３】
［実施形態６］
実施形態１では、用いられた気圧閾値は、１つであるとして説明した。本実施形態６では、用いる気圧閾値は、第１気圧閾値と、第２気圧閾値である、つまり、用いる気圧閾値は２つであるとして説明する。また、第２気圧閾値＞第１気圧閾値であるとする。
【００９４】
本実施形態６では、実施形態１で説明した気圧閾値（図８のＳ１０４参照）を「第１気圧閾値」とし、さらに、第２気圧閾値をも含めて説明する。本実施形態６では、図６を用いて、プロセッサ２１０の機能構成例を説明する。
【００９５】
本実施形態６では、気圧取得部３０２が取得した気圧が、第１気圧閾値よりも低いと判断された場合には、低周波治療の強度を増大させる。これにより、実施形態１でも説明したように、低周波治療器２００による低周波治療を行っているユーザは、気圧が気圧閾値よりも低くなったとしても、ユーザが低周波治療の強度を強める必要がなく、低周波治療器２００が低周波治療の強度を強めることから、ユーザの利便性を高めることができる。
【００９６】
一方、気圧取得部３０２が取得した気圧が、第２気圧閾値よりも高いと判断された場合には、低周波治療の強度を減少させる。これにより、低周波治療器の消費電力を低減できる。
【００９７】
図１８は、本実施形態６のフローチャートを示す図である。Ｓ１０４では、判断部３０４は、取得部３０２が取得した気圧が、第１気圧閾値よりも低いか否かを判断する。取得部３０２が取得した気圧が、第１気圧閾値よりも低いと判断された場合には（Ｓ１０４のＹＥＳ）、Ｓ１０６に進む。一方、取得部３０２が取得した気圧が、第１気圧閾値よりも低くないと判断された場合には（Ｓ１０４のＮＯ）、Ｓ５０２に進む。
【００９８】
Ｓ５０２では、判断部３０４は、取得部３０２が取得した気圧が、第２気圧閾値よりも高いか否かを判断する。取得部３０２が取得した気圧が、第２気圧閾値よりも高いと判断された場合には（Ｓ５０２のＹＥＳ）、Ｓ５０４に進む。Ｓ５０２でＮＯと判断された場合には、処理を終了する。Ｓ５０４において、調整部３０６は、ディスプレイ２６０に対して減少通知（特に図示せず）を実行させる。ここで、減少通知とは、低周波治療の強度を弱める旨の通知である。減少通知とは、たとえば、「今から、強度を弱めます。」といった通知を行うことである。
【００９９】
Ｓ５０４の処理が終了すると、Ｓ５０６に進む。Ｓ５０６では、調整部３０６は、低周波治療の強度を弱める処理を実行する。該処理とは、たとえば、減少信号を波形生成出力装置２５０に対して送信する処理である。該減少信号は、パッド２７０による低周波治療の強度（たとえば、電気刺激強度）を減少させるための信号である。波形生成出力装置２５０は、該減少信号を受信することにより、３つのパラメータ（振幅（電圧Ｖ）と、パルス幅ｔと、パルス周波数ｆ）とのうち少なくとも１のパラメータを変更することにより、電気刺激強度を弱める。また、２回目以降の図１８の処理は、所定時間（たとえば、１分）ごとに実行される。
【０１００】
本実施形態６の低周波治療器は、気象パラメータ（気圧）と、予め定められた閾値とに基づいて、低周波治療の強度を調整する。たとえば、本実施形態６の低周波治療器は、Ｓ５０２〜Ｓ５０６の実行することにより、気圧取得部３０２が取得した気圧が、第２気圧閾値よりも高いと判断された場合には、低周波治療の強度を減少させる。これにより、低周波治療器の消費電力を低減できる。さらに、Ｓ１０４〜Ｓ１０８の処理を実行することから、実施形態１で説明した効果も奏する。
【０１０１】
また、図１８のＳ５０４で説明したように、低周波治療の強度を弱める前に、減少通知が実行される。該減少通知により、低周波治療の強度が弱まることをユーザに事前に認識させることができる。したがって、ユーザにとって不意に低周波治療の強度が弱まってしまうことを防止できる。
【０１０２】
また、本実施形態６の変形例として、図１８において、Ｓ１０４〜Ｓ１０８の処理を実行しないようにしてもよい。つまり、Ｓ１０２の処理の後に、Ｓ５０２に移行することになる。このような構成によれば、Ｓ１０４〜Ｓ１０８の処理を実行しない点で処理負担を軽減できる。
【０１０３】
また、本実施形態６では、気象パラメータとして、気圧を用いる例を説明した。しかしながら、本実施形態６の変形例では、気象パラメータとして、気温を用いる。このような変形例では、図１８の第１気圧閾値が第１気温閾値に代替され、第２気圧閾値が第２気温閾値に代替される。このような変形例であっても、本実施形態６と同様の効果を奏する。
【０１０４】
また、本実施形態６では、強度を調整する対象の治療を「低周波治療」として説明した。しかしながら、強度を調整する対象の治療を「温熱治療」としてもよい。
【０１０５】
［実施形態７］
次に、実施形態７を説明する。前述の実施形態では、低周波治療器２００は、有線タイプであるとして説明した。本実施形態７の低周波治療器は無線タイプであるとする。図１９は、本実施形態７の治療システム３の概略的な構成を示す図である。図１９を参照して、治療システム３は、ユーザが使用する端末装置１０、低周波治療器２０、気象サーバ３０およびネットワーク４１，４３を含む。また、本実施形態７では、気圧と気温とをまとめて気象パラメータともいう。また、気圧閾値と気温閾値とをまとめて閾値ともいう。「気象パラメータが閾値よりも低い」とは、「気圧が気圧閾値よりも低い」という概念と、「気温が気温閾値よりも低い」という概念とを含む。
【０１０６】
端末装置１０は、「情報処理装置」の一例である。端末装置１０は、たとえば、タッチパネルを備えるスマートフォンである。なお、端末装置１０は、折り畳み式携帯電話、タブレット端末装置、ＰＣ（personal  computer）、ＰＤＡ（Personal  Data  Assistance）などのような他のタイプの端末装置であってもよい。また、端末装置１０は、種々の情報を表示可能であるとともに、ユーザからの入力を受付けるタッチパネル１５８を有する。タッチパネル１５８は、図３で説明したディスプレイ２６０の機能と、操作インターフェイス２３０の機能とを有する。
【０１０７】
ネットワーク４３は、端末装置１０と低周波治療器２０を接続するために、近距離無線通信方式を採用しており、典型的には、ＢＬＥ（Bluetooth（登録商標）  low  energy）が採用される。ただし、ネットワーク４３は、これに限られず、有線通信方式を採用してもよいし、無線ＬＡＮ（local  area  network）などのその他の無線通信方式を採用してもよい。
【０１０８】
図２０は、実施の形態１にかかる低周波治療器２０の外観を端末装置１０と関連付けて示す図である。図２を参照して、低周波治療器２０は、パッド２、ホルダ７、および本体部４を備える。低周波治療器２０は、いわゆるコードレスタイプであり、端末装置１０から受信する制御情報に従い制御される。
【０１０９】
パッド２は、身体の部位に接触されるように構成される「治療部」の一実施例である。パッド２はシート状の形状を有し、使用者の身体の部位、より特定的には治療すべき部位などに接触するように取り付けられる。パッド２の外表面のうち、身体に対向する表面（下面）には、導電層２ａが設けられる。パッド２は、導電性のゲルなどを使用してユーザの皮膚上に貼り付けられ、導電層２ａを通してユーザに治療プログラムに応じた周波数のパルス電流が供給される。
【０１１０】
パッド２は、取付部（図示せず）および治療部２Ｙを有する。取付部は、ホルダ７によって保持される。取付部には、ホルダ７が位置決めされて配置される。治療部２Ｙは、取付部の左右両外側に設けられ、治療部２Ｙの身体に対向する表面には導電層２ａが露出している。導電層２ａは、本体部４に対向する表面にも露出しており、この露出部分が電極を構成する。
【０１１１】
図２０に示すように、本体部４は、略直方体の形状を有するケース４ａを外装体として含んでいる。ケース４ａとホルダ７との間には、係合部５が形成されており、本体部４（ケース４ａ）は、係合部５により、ホルダ７に着脱可能に取り付けられる。本体部４には、低周波治療器２０を制御するためにユーザが操作するスイッチ４８Ｓが設けられる。また、
本体部４は、ホルダ７に取り付けられた状態で、パッド２の導電層２ａに低周波パルス電流を供給する。具体的には、本体部４は、基板および当該基板の上に実装された電気回路などを内蔵する。
【０１１２】
このような治療システム３において、端末装置１０が、低周波治療器２００（または端末装置１０）が位置する場所の気象パラメータを取得する取得部と、気象パラメータが閾値よりも低いか否かを判断する判断部とを備えるようにしてもよい。このような治療システム３において、前述の技術思想のうちの少なくとも１つを適用するようにしてもよい。
【０１１３】
また、図７、図１３、および図１７などで説明した情報のうち少なくとも１つの情報を端末装置１０のタッチパネル１５８に通知させるようにしてもよい。たとえば、端末装置１０のタッチパネル１５８は、気象パラメータが閾値よりも低くなると判断された場合に、気象パラメータが閾値よりも低くなる時期に外出を控える旨（図１３に示した情報）を通知するようにしてもよい。
【０１１４】
このように、本実施形態７では、コードレスタイプの低周波治療器を採用することもできる。なお、図１および図１９で説明した治療システム含まれる複数の装置（低周波治療器、端末装置）において、前述した取得部、調整部、通知部は、前述した装置が備えるものではなくてもよく、前述の実施形態を実施できるのであれば、他の装置が備えるようにしてもよい。たとえば、取得部は、低周波治療器が備えるものではなく、端末装置が備えるようにしてもよい。
【０１１５】
［その他の実施形態］
（１）  また、前述の治療システムにおいては、第１モードと第２モードとをユーザが選択可能であるようにしてもよい。第１モードは、気象パラメータと、閾値とに基づいて、低周波治療の強度を調整するモードである。つまり、第１モードは、気象パラメータとしての気圧が、第１気圧閾値よりも小さいと判断された場合には、低周波治療の強度を強めるモードである。
【０１１６】
第２モードは、気象パラメータと、閾値とに関わらず（気象パラメータと、閾値の大小に関わらず）、低周波治療の強度を調整しないモードである。つまり、第２モードは、気象パラメータとしての気圧が、第１気圧閾値よりも小さいと判断された場合でも、低周波治療の強度を変更しない（維持する）モードである。
【０１１７】
図２１は、該モードの選択を受付ける選択画面の一例である。該選択画面はディスプレイ２６０に表示される。図２１の例では、第１モードと、第２モードとが表示されている。ユーザは、カーソルを合わせることでこれらのモードのうちいずれかのモードに決定可能となる。なお、図２１では第１モードの説明として、気象パラメータとしての気圧が、第１気圧閾値よりも小さいと判断された場合には、低周波治療の強度を強めるモードである旨が表示されている。また、図２１では第２モードの説明として、気象パラメータとしての気圧が、第１気圧閾値よりも小さいと判断された場合でも、低周波治療の強度を変更しない（維持する）モードである事項を例示している。
【０１１８】
気象パラメータが閾値よりも低いと判断された場合に、自動的に、低周波治療の強度を強まることを望むユーザは、第１モードを選択すればよい。気象パラメータが閾値よりも低いと判断された場合に、自動的に、低周波治療の強度を強まることを望まないユーザは、第２モードを選択すればよい。
【０１１９】
このように、ユーザがモードを選択できることにより、ユーザの利便性をさらに高めることができる。
【０１２０】
なお、変形例として、第１モードは、気象パラメータとしての気圧が、第１気圧閾値よりも小さいと判断された場合には、低周波治療の強度を強めるモードであるとともに、気圧が、第２気圧閾値よりも大きいと判断された場合には、低周波治療の強度を弱めるモードであるとしてもよい。また、第２モードは、気象パラメータとしての気圧が、第１気圧閾値よりも小さいと判断された場合でも、低周波治療の強度を変更しない（維持する）モードであるとともに、気圧が、第２気圧閾値よりも大きいと判断された場合でも、低周波治療の強度を変更しない（維持する）モードとしてもよい。
【０１２１】
また、第１モードは、気象パラメータとしての気圧が、第１気圧閾値よりも小さいと判断された場合でも、低周波治療の強度を維持するモードである一方、気圧が、第２気圧閾値よりも大きいと判断された場合には、低周波治療の強度を弱めるモードとしてもよい。つまり、第１モードは、気象パラメータと、閾値とに基づいて、低周波治療の強度を調整するモードであるとしてもよい。
【０１２２】
（２）  前述の実施形態は、気圧閾値および気温閾値はいずれも予め定められているものであるとして説明した。しかしながら、前述の治療システムにおいては、気圧閾値および気温閾値のうちの少なくとも一方をユーザが設定可能としてもよい。この設定は、たとえば、操作インターフェイス２３０またはタッチパネル１５８から第２受付部として受付可能とされる。
【０１２３】
たとえば、自分の体の痛みが強まる気圧を認識しているユーザは、該気圧を気圧閾値として設定するようにすればよい。また、自分の体の痛みが強まる気温を認識しているユーザは、該気温を気温閾値として設定するようにすればよい。
【０１２４】
図２２は、閾値を入力する入力画面の一例である。該入力画面はディスプレイ２６０に表示される。このような構成によれば、ユーザが、気圧閾値および気温閾値のうちの少なくとも一方を設定可能となることから、ユーザにとって適切なタイミングで低周波治療の強度、および温熱治療の強度のうち少なくとも１を強めることができる。よって、ユーザの利便性をさらに高めることができる。
【０１２５】
なお、変形例として、第１気圧閾値、第２気圧閾値、第１気温閾値、および第２気温閾値のうち少なくとも１つをユーザが設定可能としてもよい。
【０１２６】
（３）  また、前述の治療システムにおいては、図８のＳ１０８および図１０のＳ２０８のうちの少なくとも１の「強める強度」の対象をユーザが設定可能としてもよい。図２３は、「強める強度」の対象の選択を受付ける選択画面の一例である。該選択画面はディスプレイ２６０に表示される。また、図２３の例では、該選択されたパラメータについて、強める度合（選択したパラメータに対して乗算される値（ゲイン値））も入力可能となっている。
【０１２７】
たとえば、治療波形への変更については、図５で説明した３つのパラメータ（振幅、パルス幅、およびパルス周波数）のうち少なくとも１つのパラメータを、強めるパラメータとして選択可能としてもよい。たとえば、低周波治療の強度を強めるときに、違和感を感じたくないユーザは、強めるパラメータとして、振幅を選択すればよい。一方、低周波治療の強度を強めるときに、該強度を強める前の低周波治療の感触と異なる感触を感じたいユーザは、強めるパラメータとして、パルス幅、およびパルス周波数のうちの少なくとも１つを選択すればよい。このように、強めるパラメータとしてユーザが選択可能とすることにより、ユーザの利便性をさらに向上させる。この設定は、たとえば、第３受付部として操作インターフェイス２３０またはタッチパネル１５８から受付可能とされる。
【０１２８】
さらに、該選択したパラメータに対して乗算される値（ゲイン値）を、ユーザが設定可能としてもよい。たとえば、ユーザがゲイン値を設定可能であり、低周波治療器２００は、該設定されたゲイン値に基づいて、低周波治療および温熱治療のうちの少なくとも１の強度を強めるようにしてもよい。この設定は、たとえば、操作インターフェイス２３０またはタッチパネル１５８から受付可能とされる。
【０１２９】
このような構成によれば、ユーザが、ユーザ好みの強度を設定できることにより、ユーザの利便性をさらに高めることができる。
【０１３０】
なお、変形例として、「強める強度の対象」と、「強める度合」とのうちのいずれか一方をユーザが設定可能としてもよい。また、変形例として、「弱める強度の対象」と、「弱める度合」とのうち少なくとも１つをユーザが設定可能としてもよい。つまり、調整部により調整される低周波治療の強度の入力を受付けるようにしてもよい。
【０１３１】
［変形例］
（１）  また、低周波治療器の治療部について、特定部材を用いるようにしてもよい。この特定部材とは、電流の極性を変えることまたは電流の大きさを変えることで、熱を発したり（温熱治療を実行したり）、熱を吸収したり（冷却治療を実行したり）することができる部材である。特定部材とは、典型的には、ペルチェ素子である。この特定部材を治療部に用いることにより、電流の極性を変えることまたは電流の大きさを変えることで、温熱治療および冷却治療を選択的に実行することができる。冷却治療とは、一般的に、急性の痛み（たとえば、打撲など）に対して効果があるとされている。
【０１３２】
このような特定部材を用いた低周波治療器において、温度が上がると、特定部材も温まることから、ユーザが意図している治療（たとえば、冷却治療）が出来なくなる場合がある。そこで、本変形例の低周波治療器は、該特定部材を冷却するための処理を実行する。該特定部材を冷却するための処理とは、たとえば、電流の極性を変える処理、および電流の大きさを変える処理のうち少なくとも１の処理である。
【０１３３】
また、特定部材を用いた低周波治療器において、温度が下がると、特定部材も冷えることから、ユーザが意図している治療（たとえば、温熱治療）が出来なくなる場合がある。そこで、本変形例の低周波治療器は、該特定部材を暖めるための処理を実行する。該特定部材を冷却するための処理とは、たとえば、電流の極性を変える処理、および電流の大きさを変える処理のうち少なくとも１の処理である。
【０１３４】
このような構成によれば、特定部材を用いた低周波治療器において、温度の変化により、ユーザが意図している治療ができなくなる場合であっても、該ユーザが意図している治療を維持することができる。
【０１３５】
（２）  本実施形態では、低周波治療器２００が、低周波治療を実行するという前提で、温熱治療も実行可能であるとして説明した。しかしながら、低周波治療を実行せずに、温熱治療を実行可能な温熱治療器としてもよい。たとえば、実施形態２で説明した思想を該温熱治療器に適用するようにしてもよい。
【０１３６】
（３）  実施形態１では、気圧が気圧閾値よりも小さくなったと判断された場合に、低周波治療器の強度を強めるとして説明した。しかしながら、気温が気温閾値よりも小さくなったと判断された場合に、低周波治療の強度を強めるとしてもよい。また、実施形態２では、気温が気温閾値よりも小さくなったと判断された場合に、温熱療器の強度を強めるとして説明した。しかしながら、気圧が気圧閾値よりも小さくなったと判断された場合に、温熱治療の強度を強めるとしてもよい。
【０１３７】
また、前述の説明では、ユーザの体の痛みの増加に起因する気象パラメータとして、気圧および気温を例示したが、他のパラメータを用いるようにしてもよい。
【０１３８】
（４）  前述では、低周波治療器２００または端末装置１０が、気象サーバから気象パラメータを取得するとして説明した。しかしながら、低周波治療器２００または端末装置１０がパラメータ検知部（センサ）を備え、該パラメータ検知部が気象パラメータを検知し、取得部が該検知された気象パラメータを取得するようにしてもよい。このような構成であれば、治療システムは、気象サーバ３０を不要とすることができる。
【０１３９】
（５）  前述では、図７、図１３、図１７などの通知は、ディスプレイ２６０などに表示するとして説明した。しかしながら、該通知は、音声通知としてもよい。また、該通知はディスプレイ２６０などでの表示と、音声通知とを組み合わせたものであってもよい。
【０１４０】
（６）  また、低周波治療器または端末装置に対して、ユーザが移動する場所（位置）を入力可能とし、該移動先の位置において、たとえば、ユーザの身体の痛みが増加する可能性があることを通知するようにしてもよい。図２４は、本変形例を説明するための図である。また、本変形例のシステム構成例は、図１に示すものであるとする。
【０１４１】
図２４の例では、ディスプレイ２６０に、「到着予定時刻と行先を入力してください」という文字が表示される。また、図２４の例では、ディスプレイ２６０から、第４受付部として、ユーザは、行先（ユーザの移動先である位置（場所））と、該移動先の位置への到着予定時刻を入力可能となっている。図２４（Ａ）の例では、到着予定時刻として、「１３：１５」が入力され、行先（移動する位置（場所））として「東京」が入力されている。
【０１４２】
図２４（Ａ）のような入力が実行された場合には、図２４（Ｂ）のような表示画面が、ディスプレイ２６０に第４通知部として、表示される。図２４（Ｂ）の例では、「東京では、体の痛みが増加する可能性があります。」という文字が表示されている。このように、本変形例の低周波治療器は、入力された位置および時刻において、ユーザの身体の痛みが増加する可能性があることを通知する。
【０１４３】
図２５は、本変形例の低周波治療器のフローチャートを表す図である。低周波治療器は、入力された位置を示す位置情報（たとえば、経度および緯度）および入力された時刻を示す時刻情報を気象サーバに対して送信する。図２４の例では、該位置情報は、東京を示す位置情報であり、時刻情報は、１３：１５を示す時刻情報である。気象サーバは、低周波治療器から送信された位置情報および時刻情報に対応する気圧を低周波治療器に対して送信する。気象サーバは、位置情報および時刻情報と、気圧とが対応付けられたテーブルを保持している。気象サーバは、該テーブルを参照することにより、低周波治療器から送信された位置情報および時刻情報に対応する気圧を抽出し、該抽出した気圧を低周波治療器に対して送信する。
【０１４４】
Ｓ６０２において、該送信された気圧、つまり、入力された位置および入力された時刻に対応する気圧を取得する。次に、Ｓ６０４において、低周波治療器は、取得した気圧が気圧閾値（上記の第１気圧閾値に対応）よりも低いか否かを判断する。Ｓ６０４において、ＹＥＳと判断された場合には、Ｓ６０６において、「入力された位置で身体の痛みが増加する可能性がある」旨を表示する。該表示とは、たとえば、図２４（Ｂ）に示す表示である。
【０１４５】
この本変形例を採用した低周波治療器であれば、ユーザにより入力された位置および時刻において、身体の痛みが増加する可能性がある旨を通知する。したがって、ユーザの移動先において、該ユーザは身体の痛みが増加する可能性があるか否かを認識することができる。
【０１４６】
（７）  図６の例では、判断部の機能と調整部の機能とが別箇に記載されているが、たとえば、調整部の機能に、判断部の機能が含まれるようにしてもよい。
【０１４７】
（８）  また、図８および図１８の例では、Ｓ１０４においてＹＥＳと判断された場合、つまり、気圧が第１気圧閾値よりも小さいと判断された場合に、低周波治療の強度を強めるとして説明した。このように、低周波治療の強度を強めている状態において、気圧が第１気圧閾値よりも大きいと判断された場合には、低周波治療の強度を弱める（たとえば、強度を強める前の強度に戻す）ようにしてもよい。これにより、気圧が第１気圧閾値よりも小さいと判断された場合には、一般的に、ユーザの身体の痛みは増加するが、該気圧が第１気圧閾値よりも大きくなった場合には、一般的に、ユーザの身体の痛みは低減する。したがって、低周波治療の強度を弱めることにより、ユーザに不満を感じさせることなく、かつ低周波治療器の消費電力を低減できる。
【０１４８】
今回開示された実施形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４９】
１０  端末装置、３０  気象サーバ、４０  施設サーバ、２００  低周波治療器、３０２  取得部、３０４  判断部。
【図１】
2019041827.tif 000003
【図２】
2019041827.tif 000004
【図３】
2019041827.tif 000005
【図４】
2019041827.tif 000006
【図５】
2019041827.tif 000007
【図６】
2019041827.tif 000008
【図７】
2019041827.tif 000009
【図８】
2019041827.tif 000010
【図９】
2019041827.tif 000011
【図１０】
2019041827.tif 000012
【図１１】
2019041827.tif 000013
【図１２】
2019041827.tif 000014
【図１３】
2019041827.tif 000015
【図１４】
2019041827.tif 000016
【図１５】
2019041827.tif 000017
【図１６】
2019041827.tif 000018
【図１７】
2019041827.tif 000019
【図１８】
2019041827.tif 000020
【図１９】
2019041827.tif 000021
【図２０】
2019041827.tif 000022
【図２１】
2019041827.tif 000023
【図２２】
2019041827.tif 000024
【図２３】
2019041827.tif 000025
【図２４】
2019041827.tif 000026
【図２５】
2019041827.tif 000027